(57)【特許請求の範囲】
【請求項１】
光ディスクを回転させる回転駆動手段と、
少なくとも光源や各種光学部材を搭載し移動自在に設けられたキャリッジと、
第１の開口を設けたカバーと前記回転駆動手段とを備えた光ピックアップモジュールと、
第２の開口を有し前記第２の開口から前記光ピックアップモジュールの一部を表出させるように前記光ピックアップモジュールを取り付けたトレイと、
前記トレイを出没自在に保持する筐体とを備え、
前記トレイの主面は、光ディスク装着時に前記光ディスクと対向する光ディスク装着領域部と、前記光ディスク装着領域部の外側に位置し前記光ディスクの主面と対向しない光ディスク装着領域外部とから構成され、
前記光ディスク装着領域外部と前記光ピックアップモジュールとが対向するように前記トレイと前記光ピックアップモジュールを互いに結合させ、
前記光ディスク装着領域外部には、前記カバーの第１の開口と対向する部分に開口を設け、
前記筐体は、前記トレイを前記筐体に収納したとき、前記開口の上方に相当する領域に、前記開口に向かって湾曲した窪みを有し、
前記トレイと、前記窪みの前記トレイに対向する面との距離は、前記光ディスクの回転中心から離れるに従い小さくなることを特徴とする光ディスク装置。
【請求項２】
前記窪みの前記トレイに対向する面は、前記光ディスクが回転することにより発生する空気流を前記キャリッジが位置する空間に向けて導くことを特徴とする請求項１記載の光ディスク装置。
【請求項３】
前記窪みは、前記トレイが前記筐体に収納されたときに、前記トレイの前端面と前記光ディスク装着領域部の間に設けられたことを特徴とする請求項１記載の光ディスク装置。
【発明の詳細な説明】
【技術分野】
【０００１】
本発明は光ピックアップにより光ディスクの情報を記録再生する光ディスク装置に関する。
【背景技術】
【０００２】
光ディスク装置は、ＣＤ−ＲＯＭ、ＣＤ−Ｒ／ＲＷ、ＤＶＤなどがすでに実用化されており、各方面への応用と高性能化への開発が活発に行われている。特に最近では、パーソナルコンピュータの急速な市場拡大に伴い光ディスク装置のパーソナルコンピュータへの内蔵普及率も高くなっている。
【０００３】
従来の光ディスク装置においてトレイを引き出した状態を示す斜視図を図５に示す。
【０００４】
図５において、１は光ディスク装置で、光ディスク装置１は、筐体２と、筐体２に出没自在に保持されたトレイ３とを有している。筐体２は、金属製の筐体部２ａ、２ｂを組み合わせて袋状であり、筐体２の開口からトレイ３が出没する構成となっている。トレイ３には裏面から光ピックアップモジュール４が取り付けられている。トレイ３の両側部には移動自在にレール３ａが設けられ、このレール３ａはトレイ３に一体に設けられたレール保持部３ｂに保持されている。なお、図５では一方の側部にのみレール３ａが設けられているが、他方の側部に同様のレールが設けられていてもよい。
【０００５】
筐体部２ａと筐体部２ｂとは図示していない係止手段と螺旋などを用いて、互いに強固に固定されている。筐体２の構成材料としては鉄，鉄合金，アルミ，アルミ合金，マグネシウム合金などの金属材料の様な導電材料が好適に用いられる。また、樹脂材料で各筐体部を構成し、その上に電着などの手法を用いて導電性の高い金属膜を形成したものを用いても良い。更に、筐体部２ａ及び筐体部２ｂそれぞれ同種の材料で構成しても良いし、異種の材料で構成しても良い。また、筐体部２ａ及び筐体部２ｂそれぞれの主平面部の平均肉厚は０．３ｍｍ〜１．６ｍｍの間であり、この平均肉厚の比較的薄い場合には筐体部２ａ及び筐体部２ｂは金属材料で構成され、例えば、金属板をプレス加工することなどによって形成される。また、平均肉厚の比較的厚い場合には筐体部２ａ及び筐体部２ｂはダイカスト（アルミ，マグネシウム合金など）で構成される。
【０００６】
光ピックアップモジュール４には光ディスクを回転駆動させるスピンドルモータ５と、スピンドルモータ５から外周にかけて開口６ａを設けた金属製のカバー６と、開口６ａから一部が露出したキャリッジ７とを少なくとも有している。キャリッジ７は光ピックアップモジュール４に設けられた複数の案内シャフトに移動自在に保持されており、しかも図示していないフィードモータによって、スピンドルモータ５に近づいたり、離れたりするように移動できる。８はトレイ３の前面に設けられたベゼルで、ベゼル８は筐体２の開口を塞ぐ程度の大きさで構成されている。
【０００７】
キャリッジ７には、高出力のレーザーダイオード等の光源，各種光学部材及び光ディスク上に光スポットを構成する対物レンズなどが搭載されている。光ディスクに記録などを行う際には、高出力の光源や、その光源を駆動するＩＣ等が必要となってくる。その結果、光源やＩＣの発熱がおびただしくなって、記録再生特性に影響を及ぼすことが生じてきている。特に図５に示すような光ディスク装置１においては、薄型化や小型化を求められているので、熱容量が低下し問題となっている。特に、筐体２の中央部分の厚みが１４ｍｍ以下、更には１０ｍｍ以下というような薄型の光ディスク装置１においては、この問題は顕著となる。
【０００８】
光ディスク装置内を冷却する方法については、例えば（特許文献１）、（特許文献２）に記載されている。
【特許文献１】特開平１１−２５６６７号公報
【特許文献２】特開２０００−２３１７８２号公報
【発明の開示】
【発明が解決しようとする課題】
【０００９】
これらは、光ディスクを回転させる際に生じる空気流をキャリッジ７に導いて、冷却する方法について記載したものであるが、これらの方法は、そもそも、筐体２の中央部の厚みが１４ｍｍ以下或いは１０ｍｍ以下の光ディスク装置を想定しておらず、このような超薄型の光ディスク装置においては、冷却効果が充分であるとはいえない。
【００１０】
本発明は、上記従来の課題を解決するもので、極めて薄型の光ディスク装置においても十分な冷却を行うことができ、記録再生特性の劣化を低減させることができる光ディスク装置を提供することを目的とする。
【課題を解決するための手段】
【００１１】
本発明は、上記の課題を解決するためになされたもので、光ディスクを回転させる回転駆動手段と、少なくとも光源や各種光学部材を搭載し移動自在に設けられたキャリッジと、第１の開口を設けたカバーと前記回転駆動手段とを備えた光ピックアップモジュールと、第２の開口を有し前記第２の開口から前記光ピックアップモジュールの一部を表出させるように前記光ピックアップモジュールを取り付けたトレイと、前記トレイを出没自在に保持する筐体とを備え、前記トレイの主面は、光ディスク装着時に前記光ディスクと対向する光ディスク装着領域部と、前記光ディスク装着領域部の外側に位置し前記光ディスクの主面と対向しない光ディスク装着領域外部とから構成され、前記光ディスク装着領域外部と前記光ピックアップモジュールとが対向するように前記トレイと前記光ピックアップモジュールを互いに結合させ、前記光ディスク装着領域外部には、前記カバーの第１の開口と対向する部分に開口を設け、前記筐体は、前記トレイを前記筐体に収納したとき、前記開口の上方に相当する領域に、前記開口に向かって湾曲した窪みを有し、前記トレイと、前記窪みの前記トレイに対向する面との距離は、前記光ディスクの回転中心から離れるに従い小さくなることを特徴とする光ディスク装置である。
【００１２】
この構成により、光ディスクの回転によって筐体と光ディスクとの間の比較的温度の低い部分の空気を効果的に筐体とトレイとの間に導いて、効率よく空気流を循環させることができ、冷却効果が高い。そのため、特に薄型化及び小型化されディスク装置の熱対策を効果的に行うことができ、熱の発生による記録再生特性の劣化などの不具合を抑制することができる。
【発明の効果】
【００１３】
本発明によると、効率よく空気流を循環させることができるので、特に薄型及び小型化された光ディスク装置の熱対策を行うことができ、熱による記録再生特性の劣化などの不具合を抑えることができる。
【発明を実施するための最良の形態】
【００１４】
本発明の請求項１の発明は、光ディスクを回転させる回転駆動手段と、少なくとも光源や各種光学部材を搭載し移動自在に設けられたキャリッジ、第１の開口を設けたカバーと前記回転駆動手段とを備えた光ピックアップモジュールと、第２の開口を有し前記第２の開口から前記光ピックアップモジュールの一部を表出させるように前記光ピックアップモジュールを取り付けたトレイと、前記トレイを出没自在に保持する筐体とを備え、前記トレイの主面は、光ディスク装着時に前記光ディスクと対向する光ディスク装着領域部と、前記光ディスク装着領域部の外側に位置し前記光ディスクの主面と対向しない光ディスク装着領域外部とから構成され、前記光ディスク装着領域外部と前記光ピックアップモジュールとが対向するように前記トレイと前記光ピックアップモジュールを互いに結合させ、前記光ディスク装着領域外部には、前記カバーの第１の開口と対向する部分に開口を設け、前記筐体は、前記トレイを前記筐体に収納したとき、前記開口の上方に相当する領域に、前記開口に向かって湾曲した窪みを有し、前記トレイと、前記窪みの前記トレイに対向する面との距離は、前記光ディスクの回転中心から離れるに従い小さくなることを特徴とする光ディスク装置である。
【００１５】
この構成により、光ディスクの回転によって筐体と光ディスクとの間の比較的温度の低い部分の空気を効果的に筐体とトレイとの間に導いて、効率よく空気流を循環させることができ、冷却効果が高い。そのため、特に薄型化及び小型化されディスク装置の熱対策を効果的に行うことができ、熱の発生による記録再生特性の劣化などの不具合を抑制することができる。
【００２０】
本発明の請求項２の発明は、請求項１の発明の光ディスク装置において、前記窪みの前記トレイに対向する面は、前記光ディスクが回転することにより発生する空気流を前記キャリッジが位置する空間に向けて導くことを特徴とする。
【００２１】
この構成により、光ディスク装置において熱の発生により高温となりやすい領域に空気流を導くことができ、冷却効果を高めることができる。
【００３０】
本発明の請求項３の発明は、請求項１の発明の光ディスク装置において、前記窪みは、前記トレイが前記筐体に収納されたときに、前記トレイの前端面と光ディスク装着領域部の間に設けられたことを特徴とする。
【００３１】
この構成により、光ディスク装置が電子機器などに装着された際に、外気に近い側に傾斜面を配置できるため、冷却効果が高い。
【００３３】
（実施の形態１）
以下、本発明における光ディスク装置の実施の形態について説明する。
【００３４】
図１は本発明の一実施の形態における光ディスク装置においてトレイを引き出した状態を示す斜視図、図２はトレイのみの斜視図、図３は本発明の一実施の形態における光ディスク装置において空気流の流れを示す図である。なお、本実施の形態において、図５に示した従来の構成と同等の機能を有する要素については、同一の符号を付している。
【００３５】
本実施の形態において、トレイ３は、樹脂製のフレームで構成されている。トレイ３のディスク装着時にディスクに対向する部分には、光ディスク装着領域部３ｄが設けられており、外周は光ディスクの形状に合わせて円形状となっている。光ディスク装着領域部３ｄの外側には、光ディスク装着領域外部（図示せず）が設けられており、光ディスク装着領域部３ｄは光ディスク装着領域外部に対して１．５ｍｍから４ｍｍ程度（装着される光ディスクの厚みと同じかやや大きい程度）陥没した凹部を形成している。
【００３６】
本実施の形態では、トレイ３は概略方形状であり、しかも装着される最大径の光ディスクは円盤状を想定しているので、光ディスク装着領域部３ｄは前述の通り、略円形状であり、しかも光ディスク装着領域部３ｄの直径は装着される可能性のある最大径の光ディスクの直径と同じか１ｍｍ〜７ｍｍほど大きくなっている。光ディスク装着領域外部は概略三角形状となっている。また、光ディスク装着領域部３ｄは光ディスクを装着した際には、光ディスクと対向する部分を含み外周部にわずかな隙間を有する領域を示しており、光ディスク装着領域外部は、光ディスクの主面とは全く対向しない領域である。
【００３７】
光ディスク装着領域部３ｄには開口３ｃが設けられており、開口３ｃに裏面から挿入して光ピックアップモジュール４が取り付けられている。
【００３８】
光ディスク装着領域部３ｄのほぼ中心にはスピンドルモータ５が設けられている。開口３ｃからは、スピンドルモータ５の少なくとも一部が突出しており、しかもキャリッジ７及びカバー６も表出している。
【００３９】
また、トレイ３の両側部には図５に示すものと同様に、移動自在にレール３ａが設けられ、このレール３ａはトレイ３に一体に設けられたレール保持部３ｂに保持されている。
【００４０】
光ピックアップモジュール４には光ディスクを回転駆動させるスピンドルモータ５と、スピンドルモータ５から外周にかけて開口６ａを設けた金属製或いは樹脂製のカバー６、開口６ａから一部が露出したキャリッジ７とを少なくとも有している。キャリッジ７には高出力のレーザーダイオード等の光源，各種光学部材及び光ディスク上に光スポットを構成する対物レンズ、光源を駆動するＩＣなどが搭載されている。キャリッジ７は光ピックアップモジュール４に設けられた複数の案内シャフト（図示せず）に移動自在に保持されており、しかもフィードモータ（図示せず）によって、スピンドルモータ５に近づいたり、離れたりするように移動する。
【００４１】
８はトレイ３の前端面に設けられたベゼルで、ベゼル８は筐体２の開口を塞ぐ程度の大きさで構成されている。
【００４２】
本発明の実施の形態においては、トレイ３は、図１、図２、図３に示すように、ベゼル８側の光ディスク装着領域外部のうち、光ピックアップモジュール４が取り付けられるときに、開口６ａと対向する部分は面が形成されない開口（図示せず）となっている。
【００４３】
トレイ３が筐体２に収納されるときに、上側の筐体部２ａの主平面のうち、開口１１の上方に相当する領域には、光ディスクが装着される面側に湾曲した窪み１０が形成されている。
【００４４】
この構成によって実現される空気の流路を図３に示す。図３（ａ）は筐体部２ａ側から見た平面図であり、図３（ｂ）は図３（ａ）に示す断面線での断面図である。スピンドルモータ５によって回転駆動された光ディスク９によって発生した空気流は、光ディスク９の外周部で比較的強い空気流となっており、しかもその空気流は、上側の筐体部２ａの主平面の一部に設けられた窪み１０の傾斜面１３によって、トレイ３の光ディスク装着側と反対側の領域（トレイ３と筐体部２ｂで挟まれた空間）に効率的に導かれる。すると、前記反対側の領域には、高出力の光源や光源の駆動ＩＣ等が搭載されたキャリッジ７が存在するので、上記空気流の流入により、空気が拡散されることで、効果的に光源などの冷却を行うことができる。
【００４５】
この構成では、光ディスクを装着して筐体２にトレイ３を収納した場合、光ディスクの回転によって筐体部２ａと光ディスクとの間の比較的温度の低い部分の空気をも効果的に筐体部２ｂとトレイ３との間に導くことができ、冷却効果が高い。
【００４６】
従来の構成に対して本実施の形態では、このキャリッジ７に搭載された光源や各種光学部材を含む部分の温度は、４℃以上低減できることが分かった。すなわち、従来の技術の様に、単に空気の流路を構成するのでは、筐体２の中央部分の厚みが１４ｍｍ以下或いは１０ｍｍ以下の光ディスク装置１においては効果的な冷却は困難であったが、本実施の形態の構成により、非常に効果的に光ディスク９で発生した空気流をキャリッジ７のほとん
どが収納される筐体部２ｂとトレイ３との間の空間に導くことができるので、極めて高い冷却性能を得ることができる。
【００４７】
図４に、本発明の他の実施の形態における光ディスク装置の筐体を示す図を示す。この実施の形態でも、トレイ３は、図２に示すように、ベゼル８側の光ディスク装着領域外部のうち、光ピックアップモジュール４が取り付けられるときに、開口６ａと対向する部分は面が形成されない開口となっている。
【００４８】
このトレイ３に対して光ピックアップモジュール４が取り付けられ、トレイ３が筐体２に収納されるときに、上側の筐体部２ａの主平面のうち、開口１１の上方に相当する領域には、筐体部２ａの主平面の一部を切り抜いて光ディスク９が装着される面側に近づくように傾斜する傾斜面が形成されている。この傾斜面は、上側の筐体部２ａの主平面とは別個独立の板を筐体部２ａの主平面に溶接または接着により固定して形成してもよい。図４においては、傾斜面を３箇所設けているが、これに限定されず、傾斜面の数は適宜定めることができる。
【００４９】
以上の実施の形態では、気体流として空気を用いたが、他の気体を用いても良い。
【産業上の利用可能性】
【００５０】
本発明の光ディスク装置は、効率よく空気流を循環させることができるので、特に薄型及び小型化された光ディスク装置の熱対策を行うことができ、熱による記録再生特性の劣化などの不具合を抑えることができる。そのため、パーソナルコンピュータ、ノートブック型コンピュータなどの電子機器に適用して利用することができる。
【図面の簡単な説明】
【００５１】
【図１】本発明の一実施の形態における光ディスク装置においてトレイを引き出した状態を示す斜視図
【図２】トレイのみの斜視図
【図３】本発明の一実施の形態における光ディスク装置において空気流の流れを示す図
【図４】本発明の他の実施の形態における光ディスク装置の筐体を示す図
【図５】従来の光ディスク装置においてトレイを引き出した状態を示す斜視図
【符号の説明】
【００５２】
１    光ディスク装置
２    筐体
２ａ、２ｂ    筐体部
３    トレイ
３ａ    レール
３ｂ    レール保持部
３ｃ    開口
３ｄ    光ディスク装着領域部
３ｆ    開口
４    光ピックアップモジュール
５    スピンドルモータ
６    カバー
６ａ    開口
７    キャリッジ
８    ベゼル
９    光ディスク
１０    窪み
１１    開口
１３    傾斜面
【図１】
0004296927.tif 000002
【図２】
0004296927.tif 000003
【図３】
0004296927.tif 000004
【図４】
0004296927.tif 000005
【図５】
0004296927.tif 000006